【手続補正書】
【提出日】平成25年1月22日(2013.1.22)
【手続補正１】
【補正対象書類名】明細書
【補正対象項目名】発明の名称
【補正方法】変更
【補正の内容】
【発明の名称】動画撮像装置、撮影方法、及びプログラム
【手続補正２】
【補正対象書類名】明細書
【補正対象項目名】０００１
【補正方法】変更
【補正の内容】
【０００１】
本発明は、動画撮像装置、撮影方法、及びプログラムに関する。
【手続補正３】
【補正対象書類名】明細書
【補正対象項目名】０００７
【補正方法】変更
【補正の内容】
【０００７】
そこで本発明は、動画ファイルを構成するフレーム画像の位置を特定するためのインデックスデータを作成するための一時記録するワーク領域を不要とすることができ、かつインデックスデータ自体を不要とすることができる動画撮像装置、撮影方法、及びプログラムを提供することを目的とする。
【手続補正４】
【補正対象書類名】明細書
【補正対象項目名】０００８
【補正方法】変更
【補正の内容】
【０００８】
上記目的達成のため、本発明の動画撮像装置は、逐次撮像されるフレーム画像を圧縮しながら動画ファイルに追加して記録する動画撮像装置であって、各フレームに対応してフレーム画像を撮像する撮像手段と、前記撮像手段により動画撮影を開始する前の段階で全てのフレーム画像に共通する共通フレームサイズを設定するフレームサイズ設定手段と、前記撮像手段により撮像されたフレーム画像を圧縮符号化する圧縮符号化手段と、前記圧縮符号化手段により圧縮符号化されたフレーム画像の圧縮サイズが、前記フレームサイズ設定手段により予め設定した共通フレームサイズとなるように、該圧縮符号化されたフレーム画像に対してダミーデータを付加し、フレーム画像のサイズを共通化するダミーデータ付加手段と、前記ダミーデータ付加手段により必要に応じてダミーデータが付加されたフレーム画像を逐次記録して動画ファイルを生成するファイル生成手段とを備えることを特徴とする。
【手続補正５】
【補正対象書類名】明細書
【補正対象項目名】０００９
【補正方法】変更
【補正の内容】
【０００９】
また、好ましい態様として、更に、前記圧縮符号化手段により圧縮符号化されたフレーム画像の圧縮サイズが、前記フレームサイズ設定手段により予め設定した共通フレームサイズよりも小さいか否かを判断する判断手段を更に備え、前記ダミーデータ付加手段は、前記判断手段により前記共通フレームサイズよりも小さいと判断された場合に、前記圧縮符号化されたフレーム画像に対してダミーデータを付加し、前記ファイル生成手段は、前記圧縮符号化手段により逐次圧縮符号化される各々のフレーム画像について、前記ダミーデータ付加手段によりダミーデータが付加された状態またはダミーデータが付加されていない状態で逐次記録して動画ファイルを生成することを特徴とする。
また、好ましい態様として、更に、前記撮像手段は、同期して動画撮影を行う複数の撮像手段からなり、前記フレームサイズ設定手段は、前記複数の撮像手段で同期して動画撮影を開始する前の段階で全ての撮像手段に共通する前記共通フレームサイズを設定し、前記ダミーデータ付加手段は、前記複数の撮像手段の各々で撮影されたフレーム画像の圧縮サイズが、前記フレームサイズ設定手段により予め設定した共通フレームサイズとなるように、該圧縮符号化されたフレーム画像に対してダミーデータを付加し、前記複数の撮像手段の各々で撮影されたフレーム画像のサイズを共通化することを特徴とする。
【手続補正６】
【補正対象書類名】明細書
【補正対象項目名】００１０
【補正方法】変更
【補正の内容】
【００１０】
また、好ましい態様として、更に、前記撮像手段は、本撮影前に予備撮影を行い、前記フレームサイズ設定手段は、前記撮像手段による予備撮影時に、前記圧縮符号化手段により得られた、各フレーム画像の圧縮サイズに基づいて、本撮影時の共通フレームサイズを設定することを特徴とする。
【手続補正７】
【補正対象書類名】明細書
【補正対象項目名】００１１
【補正方法】変更
【補正の内容】
【００１１】
また、好ましい態様として、更に、前記フレームサイズ設定手段は、前記共通フレームサイズとして、どのような撮影シーンにおいても、そのフレームサイズを超えることの無い余裕を持ったサイズに設定することを特徴とする。
【手続補正８】
【補正対象書類名】明細書
【補正対象項目名】００１２
【補正方法】変更
【補正の内容】
【００１２】
また、好ましい態様として、更に、前記フレームサイズ設定手段は、撮影中の各フレーム画像の圧縮サイズが、予め設定した共通フレームサイズを超えた場合には、前記ファイル生成手段による動画ファイルの記録完了後に、共通フレームサイズを超えたフレーム画像の圧縮サイズに基づいて、共通フレームサイズを変更し、前記ダミーデータ付加手段は、前記フレームサイズ設定手段により変更された共通フレームサイズに基づいて、前記圧縮符号化されたフレーム画像に対して付加されたダミーデータのサイズを調整することを特徴とする。
【手続補正９】
【補正対象書類名】明細書
【補正対象項目名】００１３
【補正方法】変更
【補正の内容】
【００１３】
また、好ましい態様として、更に、前記圧縮符号化手段は、撮影中の各フレーム画像の圧縮サイズが、予め設定した共通フレームサイズを超えた場合には、前記ファイル生成手段による動画ファイルの記録完了後に、圧縮率を上げてフレーム画像の圧縮処理を再度実行することを特徴とする。
【手続補正１０】
【補正対象書類名】明細書
【補正対象項目名】００１４
【補正方法】変更
【補正の内容】
【００１４】
また、好ましい態様として、更に、前記複数の撮像手段は、当該動画撮像装置内に設けられ、同期して動画撮影を行うことを特徴とする。
【手続補正１１】
【補正対象書類名】明細書
【補正対象項目名】００１５
【補正方法】変更
【補正の内容】
【００１５】
また、好ましい態様として、更に、動作を同期させるためのタイミング情報を他の動画撮像装置と送受信する通信手段と、前記通信手段により他の動画撮像装置と送受信されるタイミング情報に基づいて、前記撮像手段、前記圧縮符号化手段、前記ダミーデータ付加手段、及び前記ファイル生成手段を、前記他の動画撮像装置と同期させて動作させる同期制御手段とを更に備えることを特徴とする。
【手続補正１２】
【補正対象書類名】明細書
【補正対象項目名】００１６
【補正方法】変更
【補正の内容】
【００１６】
また、好ましい態様として、更に、前記フレームサイズ設定手段は、各動画撮像装置が動画撮影の開始前にフレームサイズ情報を送受信することで共通フレームサイズを設定することを特徴とする。
【手続補正１３】
【補正対象書類名】明細書
【補正対象項目名】００１７
【補正方法】変更
【補正の内容】
【００１７】
また、好ましい態様として、更に、前記ダミーデータ付加手段は、前記圧縮符号化手段により圧縮符号化された複数のフレーム画像を、グループ化して圧縮を行う場合に、各圧縮グループ毎にグループサイズを共通化するようにダミーデータを付加することを特徴とする。
【手続補正１４】
【補正対象書類名】明細書
【補正対象項目名】００１８
【補正方法】変更
【補正の内容】
【００１８】
また、上記目的達成のため、本発明の撮影方法は、逐次撮像されるフレーム画像を圧縮しながら動画ファイルに追加して記録する動画撮像装置を制御するコンピュータに、撮像手段により撮像されるフレーム画像を取り込む撮像機能、動画撮影を開始する前の段階で全てのフレーム画像に共通する共通フレームサイズを設定するフレームサイズ設定機能、前記撮像機能により取り込まれたフレーム画像を圧縮符号化する圧縮符号化機能、前記圧縮符号化されたフレーム画像の圧縮サイズが、前記共通フレームサイズとなるように、該圧縮符号化されたフレーム画像に対してダミーデータを付加し、フレーム画像のサイズを共通化するダミーデータ付加機能、必要に応じて前記ダミーデータが付加されたフレーム画像を逐次記録して動画ファイルを生成するファイル生成機能を実現することを特徴とする。
また、上記目的達成のため、本発明のプログラムは、逐次撮像されるフレーム画像を圧縮しながら動画ファイルに追加して記録する動画撮像装置を制御するコンピュータに、撮像手段により撮像されるフレーム画像を取り込む撮像機能、動画撮影を開始する前の段階で全てのフレーム画像に共通する共通フレームサイズを設定するフレームサイズ設定機能、前記撮像機能により取り込まれたフレーム画像を圧縮符号化する圧縮符号化機能、前記圧縮符号化されたフレーム画像の圧縮サイズが、前記共通フレームサイズとなるように、該圧縮符号化されたフレーム画像に対してダミーデータを付加し、フレーム画像のサイズを共通化するダミーデータ付加機能、必要に応じて前記ダミーデータが付加されたフレーム画像を逐次記録して動画ファイルを生成するファイル生成機能を実現することを特徴とする。
【手続補正１５】
【補正対象書類名】特許請求の範囲
【補正対象項目名】全文
【補正方法】変更
【補正の内容】
【特許請求の範囲】
【請求項１】
逐次撮像されるフレーム画像を圧縮しながら動画ファイルに追加して記録する動画撮像装置であって、
各フレームに対応してフレーム画像を撮像する撮像手段と、
前記撮像手段により動画撮影を開始する前の段階で全てのフレーム画像に共通する共通フレームサイズを設定するフレームサイズ設定手段と、
前記撮像手段により撮像されたフレーム画像を圧縮符号化する圧縮符号化手段と、
前記圧縮符号化手段により圧縮符号化されたフレーム画像の圧縮サイズが、前記フレームサイズ設定手段により予め設定した共通フレームサイズとなるように、該圧縮符号化されたフレーム画像に対してダミーデータを付加し、フレーム画像のサイズを共通化するダミーデータ付加手段と、
前記ダミーデータ付加手段により必要に応じてダミーデータが付加されたフレーム画像を逐次記録して動画ファイルを生成するファイル生成手段と
を備えることを特徴とする動画撮像装置。
【請求項２】
前記圧縮符号化手段により圧縮符号化されたフレーム画像の圧縮サイズが、前記フレームサイズ設定手段により予め設定した共通フレームサイズよりも小さいか否かを判断する判断手段を更に備え、
前記ダミーデータ付加手段は、前記判断手段により前記共通フレームサイズよりも小さいと判断された場合に、前記圧縮符号化されたフレーム画像に対してダミーデータを付加し、
前記ファイル生成手段は、前記圧縮符号化手段により逐次圧縮符号化される各々のフレーム画像について、前記ダミーデータ付加手段によりダミーデータが付加された状態またはダミーデータが付加されていない状態で逐次記録して動画ファイルを生成することを特徴とする請求項１記載の動画撮像装置。
【請求項３】
前記撮像手段は、
同期して動画撮影を行う複数の撮像手段からなり、
前記フレームサイズ設定手段は、
前記複数の撮像手段で同期して動画撮影を開始する前の段階で全ての撮像手段に共通する前記共通フレームサイズを設定し、
前記ダミーデータ付加手段は、
前記複数の撮像手段の各々で撮影されたフレーム画像の圧縮サイズが、前記フレームサイズ設定手段により予め設定した共通フレームサイズとなるように、該圧縮符号化されたフレーム画像に対してダミーデータを付加し、前記複数の撮像手段の各々で撮影されたフレーム画像のサイズを共通化する
ことを特徴とする請求項１または２に記載の動画撮像装置。
【請求項４】
前記撮像手段は、
本撮影前に予備撮影を行い、
前記フレームサイズ設定手段は、
前記撮像手段による予備撮影時に、前記圧縮符号化手段により得られた、各フレーム画像の圧縮サイズに基づいて、本撮影時の共通フレームサイズを設定する
ことを特徴とする請求項１ないし３のいずれかに記載の動画撮像装置。
【請求項５】
前記フレームサイズ設定手段は、
前記共通フレームサイズとして、どのような撮影シーンにおいても、そのフレームサイズを超えることの無い余裕を持ったサイズに設定する
ことを特徴とする請求項１ないし４のいずれかにに記載の動画撮像装置。
【請求項６】
前記フレームサイズ設定手段は、
撮影中の各フレーム画像の圧縮サイズが、予め設定した共通フレームサイズを超えた場合には、前記ファイル生成手段による動画ファイルの記録完了後に、共通フレームサイズを超えたフレーム画像の圧縮サイズに基づいて、共通フレームサイズを変更し、
前記ダミーデータ付加手段は、
前記フレームサイズ設定手段により変更された共通フレームサイズに基づいて、前記圧縮符号化されたフレーム画像に対して付加されたダミーデータのサイズを調整する
ことを特徴とする請求項１ないし５のいずれかに記載の動画撮像装置。
【請求項７】
前記圧縮符号化手段は、
撮影中の各フレーム画像の圧縮サイズが、予め設定した共通フレームサイズを超えた場合には、前記ファイル生成手段による動画ファイルの記録完了後に、圧縮率を上げてフレーム画像の圧縮処理を再度実行する
ことを特徴とする請求項１ないし６のいずれかに記載の動画撮像装置。
【請求項８】
前記複数の撮像手段は、
当該動画撮像装置内に設けられ、同期して動画撮影を行う
ことを特徴とする請求項３に記載の動画撮像装置。
【請求項９】
動作を同期させるためのタイミング情報を他の動画撮像装置と送受信する通信手段と、
前記通信手段により他の動画撮像装置と送受信されるタイミング情報に基づいて、前記撮像手段、前記圧縮符号化手段、前記ダミーデータ付加手段、及び前記ファイル生成手段を、前記他の動画撮像装置と同期させて動作させる同期制御手段と
を更に備えることを特徴とする請求項１ないし８のいずれかに記載の動画撮像装置。
【請求項１０】
前記フレームサイズ設定手段は、
各動画撮像装置が動画撮影の開始前にフレームサイズ情報を送受信することで共通フレームサイズを設定する
ことを特徴とする請求項９に記載の動画撮像装置。
【請求項１１】
前記ダミーデータ付加手段は、
前記圧縮符号化手段により圧縮符号化された複数のフレーム画像を、グループ化して圧縮を行う場合に、各圧縮グループ毎にグループサイズを共通化するようにダミーデータを付加する
ことを特徴とする請求項１ないし１０のいずれかに記載の動画撮像装置。
【請求項１２】
撮像手段を備えた動画撮像装置による撮影方法であって、
前記撮像手段により撮像されるフレーム画像を取り込む撮像処理と、
動画撮影を開始する前の段階で全てのフレーム画像に共通する共通フレームサイズを設定するフレームサイズ設定処理と、
前記撮像処理により取り込まれたフレーム画像を圧縮符号化する圧縮符号化処理と、
前記圧縮符号化されたフレーム画像の圧縮サイズが、前記共通フレームサイズとなるように、該圧縮符号化されたフレーム画像に対してダミーデータを付加し、フレーム画像のサイズを共通化するダミーデータ付加処理と、
必要に応じて前記ダミーデータが付加されたフレーム画像を逐次記録して動画ファイルを生成するファイル生成処理と
を含むことを特徴とする撮影方法。
【請求項１３】
逐次撮像されるフレーム画像を圧縮しながら動画ファイルに追加して記録する動画撮像装置を制御するコンピュータに、
撮像手段により撮像されるフレーム画像を取り込む撮像機能、
動画撮影を開始する前の段階で全てのフレーム画像に共通する共通フレームサイズを設定するフレームサイズ設定機能、
前記撮像機能により取り込まれたフレーム画像を圧縮符号化する圧縮符号化機能、
前記圧縮符号化されたフレーム画像の圧縮サイズが、前記共通フレームサイズとなるように、該圧縮符号化されたフレーム画像に対してダミーデータを付加し、フレーム画像のサイズを共通化するダミーデータ付加機能、
必要に応じて前記ダミーデータが付加されたフレーム画像を逐次記録して動画ファイルを生成するファイル生成機能
を実現することを特徴とするプログラム。